(57)【特許請求の範囲】
【請求項１】
通信相手装置との認証処理に成功した場合に、第１無線方式にて前記通信相手装置と無線通信を行う第１無線通信部と、
前記第１無線方式での無線通信に必要なパスワードを前記通信相手装置に第２無線方式にて送信するとともに、前記第１無線通信部を識別する識別情報を前記通信相手装置から前記第２無線方式にて受信する第２無線通信部と、
前記パスワードおよび前記識別情報を用いて前記認証処理を行う認証部と、
前記認証処理に成功した場合に、前記第１無線通信部と前記通信相手装置との無線通信回線の接続確立処理を行う接続確立部と、を備える無線通信装置。
【請求項２】
前記第２無線通信部で受信された前記識別情報が暗号化情報である場合には、前記通信相手装置と共有する共有鍵を用いて当該暗号化情報を復号して、暗号化前の前記識別情報を取得するとともに、前記パスワードを前記共有鍵にて暗号化する暗号化部を備え、
前記第２無線通信部は、前記暗号化部で暗号化された前記パスワードを前記通信相手装置に送信する請求項１に記載の無線通信装置。
【請求項３】
前記第２無線通信部は、前記第２無線通信部が複数の前記通信相手装置のそれぞれから前記識別情報を受信した場合、最初に受信した前記識別情報を送信した通信相手装置以外のすべての通信相手装置に対して、前記最初に受信した識別情報を送信し、
前記認証部は、前記最初に受信した識別情報を前記認証処理に利用する請求項１または２に記載の無線通信装置。
【請求項４】
前記無線通信回線の接続遮断を指示する接続遮断指示部と、
前記接続遮断指示部による指示があると、前記無線通信回線の接続を遮断する接続遮断部と、を備える請求項１乃至３のいずれかに記載の無線通信装置。
【請求項５】
前記接続遮断部は、前記接続確立処理が完了してから所定期間が経過しても、前記通信相手装置が前記第１無線方式による無線通信を開始しない場合に、前記無線通信回線の接続を遮断する請求項４に記載の無線通信装置。
【請求項６】
通信相手装置との認証処理に成功した場合に、第１無線方式にて前記通信相手装置と無線通信を行う第１無線通信部と、
当該無線通信装置に固有の固有情報を用いて生成され、かつ前記第１無線通信部にて無線通信する前記通信相手装置を識別する識別情報を生成する識別情報生成部と、
前記第１無線方式での無線通信に必要なパスワードを前記通信相手装置から第２無線方式にて受信するとともに、前記識別情報生成部で生成された前記識別情報を前記通信相手装置に前記第２無線方式にて送信する第２無線通信部と、を備え、
前記第１無線通信部は、前記通信相手装置に対して前記識別情報と前記パスワードとを用いた前記認証処理を要求し、前記認証処理に成功した場合に前記通信相手装置との無線通信回線の接続確立処理を完了させ、その後に前記第１無線方式にて前記通信相手装置と無線通信を行う無線通信装置。
【請求項７】
前記第１無線方式による無線通信範囲は、前記第２無線方式による無線通信範囲より広く、
前記第１無線方式による無線通信速度は、前記第２無線方式による無線通信速度より速い請求項１乃至６のいずれかに記載の無線通信装置。
【請求項８】
前記第１無線方式は、無線ＬＡＮ（Local Area Network)またはBluetooth （登録商標）であり、
前記第２無線方式は、ＮＦＣ（Near Field Communication）またはBluetoothLow Energy（Bluetooth LE）である請求項７に記載の無線通信装置。
【請求項９】
前記識別情報は、ＳＳＩＤ（Service Set Identifier）である請求項８に記載の無線通信装置。
【請求項１０】
携帯無線装置と据置無線装置との間で、第１無線方式および第２無線方式にて無線通信を行う無線通信システムであって、
前記据置無線装置は、
携帯無線装置との認証処理に成功した場合に、第１無線方式にて前記携帯無線装置と無線通信を行う第１無線通信部と、
前記第１無線方式での無線通信に必要なパスワードを前記携帯無線装置に第２無線方式にて送信するとともに、前記第１無線通信部を識別する識別情報を前記携帯無線装置から前記第２無線方式にて受信する第２無線通信部と、
前記パスワードおよび前記識別情報を用いて前記認証処理を行う認証部と、
前記認証処理に成功した場合に、前記第１無線通信部と前記携帯無線装置との無線通信回線の接続確立処理を行う接続確立部と、を有し、
前記携帯無線装置は、
前記据置無線装置との認証処理に成功した場合に、前記第１無線方式にて前記据置無線装置と無線通信を行う第３無線通信部と、
前記識別情報を生成する識別情報生成部と、
前記パスワードを前記据置無線装置から前記第２無線方式にて受信するとともに、前記識別情報生成部で生成された前記識別情報を前記据置無線装置に前記第２無線方式にて送信する第４無線通信部と、を有し、
前記第３無線通信部は、前記据置無線装置に対して前記識別情報と前記パスワードとを用いた前記認証処理を要求し、前記認証処理に成功した場合に前記据置無線装置との無線通信回線の接続確立処理を完了させ、その後に前記第１無線方式にて前記据置無線装置と無線通信を行う無線通信システム。
【発明の詳細な説明】
【技術分野】
【０００１】
本発明は、２種類の無線方式を用いて無線通信を行う無線通信装置および無線通信システムに関する。
【背景技術】
【０００２】
スマートフォンやタブレットなどの携帯無線装置の普及により、携帯無線装置のカメラで撮影した画像データなどを手軽に印刷できるようにしたシステムが提案されている（例えば特許文献１）。
【０００３】
特許文献１では、画像形成装置と携帯電話機との間で、ＲＦＩＤ（Radio Frequency Identifier）にて、画像形成装置のBluetooth（登録商標）アドレスを携帯電話機に送信し、携帯電話機は受信したBluetoothアドレスを用いて、Bluetoothにて画像形成装置と無線通信を行っている。
【先行技術文献】
【特許文献】
【０００４】
【特許文献１】特許第４９８１８２６号公報
【発明の概要】
【発明が解決しようとする課題】
【０００５】
しかしながら、ＲＦＩＤでの非接触通信を行える他の携帯電話機が近くに存在した場合、この携帯電話機でも、画像形成装置のBluetoothアドレスを受信できるため、特許文献１のシステムは、セキュリティ性が高いとは言えない。
【０００６】
また、特許文献１では、Bluetoothで画像データ等の伝送を行うことを想定している。Bluetoothは、規格の更新により、伝送速度も速くなる傾向にあるが、大容量のデータの伝送に向いているとはいえない。また、Bluetoothは無線通信範囲も限られており、大容量のデータの送信を希望するユーザにとって、使い勝手がよいとは言えない。
【０００７】
本発明が解決しようとする課題は、セキュリティを強化しつつ、使い勝手も向上させた無線通信装置および無線通信システムを提供することにある。
【課題を解決するための手段】
【０００８】
上記の課題を解決するために、本発明の一態様では、通信相手装置との認証処理に成功した場合に、第１無線方式にて前記通信相手装置と無線通信を行う第１無線通信部と、
前記第１無線方式での無線通信に必要なパスワードを前記通信相手装置に第２無線方式にて送信するとともに、前記第１無線通信部を識別する識別情報を前記通信相手装置から前記第２無線方式にて受信する第２無線通信部と、
前記パスワードおよび前記識別情報を用いて前記認証処理を行う認証部と、
前記認証処理に成功した場合に、前記第１無線通信部と前記通信相手装置との無線通信回線の接続確立処理を行う接続確立部と、を備える無線通信装置が提供される。
【０００９】
前記第２無線通信部で受信された前記識別情報が暗号化情報である場合には、前記通信相手装置と共有する共有鍵を用いて当該暗号化情報を復号して、暗号化前の前記識別情報を取得するとともに、前記パスワードを前記共有鍵にて暗号化する暗号化部を備えてもよく、
前記第２無線通信部は、前記暗号化部で暗号化された前記パスワードを前記通信相手装置に送信してもよい。
【００１０】
前記第２無線通信部は、前記第２無線通信部が複数の前記通信相手装置のそれぞれから前記識別情報を受信した場合、最初に受信した前記識別情報を送信した通信相手装置以外のすべての通信相手装置に対して、前記最初に受信した識別情報を送信してもよく、
前記認証部は、前記最初に受信した識別情報を前記認証処理に利用してもよい。
【００１１】
前記無線通信回線の接続遮断を指示する接続遮断指示部と、
前記接続遮断指示部による指示があると、前記無線通信回線の接続を遮断する接続遮断部と、を備えてもよい。
【００１２】
前記接続遮断部は、前記接続確立処理が完了してから所定期間が経過しても、前記通信相手装置が前記第１無線方式による無線通信を開始しない場合に、前記無線通信回線の接続を遮断してもよい。
【００１３】
通信相手装置との認証処理に成功した場合に、第１無線方式にて前記通信相手装置と無線通信を行う第１無線通信部と、
当該無線通信装置に固有の固有情報を用いて生成され、かつ前記第１無線通信部にて無線通信する前記通信相手装置を識別する識別情報を生成する識別情報生成部と、
前記第１無線方式での無線通信に必要なパスワードを前記通信相手装置から第２無線方式にて受信するとともに、前記識別情報生成部で生成された前記識別情報を前記通信相手装置に前記第２無線方式にて送信する第２無線通信部と、を備えてもよく、
前記第１無線通信部は、前記通信相手装置との無線通信回線の接続確立処理が完了した後に、前記識別情報と前記パスワードとを用いて、前記認証処理を要求してもよい。
【００１４】
前記第１無線方式による無線通信範囲は、前記第２無線方式による無線通信範囲より広く、
前記第１無線方式による無線通信速度は、前記第２無線方式による無線通信速度より速くてもよい。
【００１５】
前記第１無線方式は、無線ＬＡＮ（Local Area Network)またはBluetooth （登録商標）であり、
前記第２無線方式は、ＮＦＣ（Near Field Communication）またはBluetoothLow Energy（Bluetooth LE）であってもよい。
【００１６】
前記識別情報は、ＳＳＩＤ（Service Set Identifier）であってもよい。
【００１７】
本発明の他の一態様は、携帯無線装置と据置無線装置との間で、第１無線方式および第２無線方式にて無線通信を行う無線通信システムであって、
前記据置無線装置は、
携帯無線装置との認証処理に成功した場合に、第１無線方式にて前記携帯無線装置と無線通信を行う第１無線通信部と、
前記第１無線方式での無線通信に必要なパスワードを前記携帯無線装置に第２無線方式にて送信するとともに、前記第１無線通信部を識別する識別情報を前記携帯無線装置から前記第２無線方式にて受信する第２無線通信部と、
前記パスワードおよび前記識別情報を用いて前記認証処理を行う認証部と、
前記認証処理に成功した場合に、前記第１無線通信部と前記携帯無線装置との無線通信回線の接続確立処理を行う接続確立部と、を有し、
前記携帯無線装置は、
前記据置無線装置との認証処理に成功した場合に、前記第１無線方式にて前記据置無線装置と無線通信を行う第３無線通信部と、
前記識別情報を生成する識別情報生成部と、
前記パスワードを前記通信相手装置から前記第２無線方式にて受信するとともに、前記識別情報生成部で生成された前記識別情報を前記通信相手装置に前記第２無線方式にて送信する第４無線通信部と、を有し、
前記第３無線通信部は、前記据置無線装置との無線通信回線の接続確立処理が完了した後に、前記識別情報と前記パスワードとを用いて、前記認証処理を要求する。
【発明の効果】
【００１８】
本発明によれば、セキュリティを強化しつつ、使い勝手も向上させることができる。
【図面の簡単な説明】
【００１９】
【図１】本発明の一実施形態による無線通信システム１の概略構成を示すブロック図。
【図２】本実施形態による無線通信システム１のフローチャート。
【図３】アプリの初期画面の一例を示す図。
【図４】第２画面の一例を示す図。
【図５】識別情報のビット列の一例を示す図。
【図６】第３画面の一例を示す図。
【図７】第４画面の一例を示す図。
【図８】第５画面の一例を示す図。
【図９】第６画面の一例を示す図。
【図１０】第７画面の一例を示す図。
【図１１】暗号化部１４，２６を備えた無線通信システム１の概略構成を示すブロック図。
【発明を実施するための形態】
【００２０】
以下、図面を参照して本発明の実施形態を説明する。以下の実施形態では、無線通信装置および無線通信システム内の特徴的な構成および動作を中心に説明するが、無線通信装置および無線通信システムには以下の説明で省略した構成および動作が存在しうる。ただし、これらの省略した構成および動作も本実施形態の範囲に含まれるものである。
【００２１】
図１は本発明の一実施形態による無線通信システム１の概略構成を示すブロック図である。図１の無線通信システム１は、据置無線装置２と携帯無線装置３とを備えている。据置無線装置２と携帯無線装置３とは、第１無線方式と第２無線方式とで無線通信を行うことができる。
【００２２】
第１無線方式とは、例えば無線ＬＡＮ（Local Area Network）やBluetooth である。なお、第１無線方式は、識別情報とパスワードで認証を行った上で無線通信を行う方式であれば、無線ＬＡＮやBluetooth以外の無線方式でもよい。第２無線方式は、例えばＮＦＣ（Near Field Communication）やBluetoothLow Energy（Bluetooth LE）などの近接無線通信方式である。第１無線方式は、第２無線方式よりも無線通信速度が高速である。また、第１無線方式は、第２無線方式よりも無線通信範囲が広い。識別情報は、第１無線方式が無線ＬＡＮの場合は、ＳＳＩＤ（Service Set Identifier）である。
【００２３】
据置無線装置２は、第１無線通信部４と、第２無線通信部５と、リーダ部６と、パスワード生成部７と、認証部８と、接続確立部９と、接続遮断指示部１０と、接続遮断部１１と、表示部１２と、表示制御部１３と、を有する。
【００２４】
第１無線通信部４は、携帯無線装置３との認証処理に成功した場合に、第１無線方式にて携帯無線装置３と無線通信を行う。
【００２５】
第２無線通信部５は、第１無線通信部４での認証処理に必要なパスワードを携帯無線装置３に第２無線方式にて送信するとともに、第１無線通信部４を識別する識別情報を携帯無線装置３から第２無線方式にて受信する。第２無線通信部５には、リーダ部６が接続されている。このリーダ部６の表面は、例えば平坦になっており、ユーザが携帯無線装置３をリーダ部６の表面にかざすと、第２無線方式にて、第２無線通信部５と携帯無線装置３との間で無線通信が行われる。
【００２６】
パスワード生成部７は、第１無線方式にて携帯無線装置３と無線通信を行うのに必要なパスワードを生成する。
【００２７】
認証部８は、パスワードおよび識別情報を用いて、認証処理を行う。接続確立部９は、認証処理に成功した場合に、第１無線通信部４と携帯無線装置３との無線通信回線の接続確立処理を行う。
【００２８】
接続遮断指示部１０は、携帯無線装置３のユーザにより、第１無線通信部４と携帯無線装置３との無線通信回線の接続遮断を指示する。
【００２９】
接続遮断部１１は、接続遮断指示部１０により指示があると、上述した無線通信回線の接続を遮断する。接続遮断部１１は、接続確立処理が完了してから所定期間が経過しても、携帯無線装置３が第１無線方式による無線通信を開始しない場合にも、上述した無線通信回線の接続を遮断してもよい。
【００３０】
据置無線装置２は、例えば、画像データの印刷機能を備えており、携帯無線装置３から第１無線通信部４にて送信された画像データを印刷する。なお、据置無線装置２が所持する機能は印刷機能に限られない。例えば、ＣＤ−ＲやＤＶＤ−Ｒなどの光ディスクへの記録機能を備えていてもよく、携帯無線装置３から第１無線通信部４にて送信された画像データを光ディスクに記録してもよい。据置無線装置２は、例えば、店舗等に設置され、１つの店舗に複数台の据置無線装置２が設置される場合もありうる。また、据置無線装置２を設置する複数の店舗が存在する場合もありうる。
【００３１】
携帯無線装置３は、第３無線通信部（第１無線通信部）２１と、識別情報生成部２２と、第４無線通信部（第２無線通信部）２３と、表示部２４と、表示制御部２５と、を有する。
【００３２】
第３無線通信部２１は、据置無線装置２との認証処理に成功した場合に、第１無線方式にて据置無線装置２と無線通信を行う。
【００３３】
識別情報生成部２２は、第３無線通信部２１にて無線通信を行う据置無線装置２の第１無線通信部４を識別する識別情報を生成する。識別情報生成部２２は、この識別情報を、携帯無線装置３に固有の固有情報を用いて生成する。
【００３４】
第４無線通信部２３は、第３無線通信部２１での認証処理に必要なパスワードを据置無線装置２から第２無線方式にて受信するとともに、識別情報生成部２２で生成された識別情報を据置無線装置２に第２無線方式にて送信する。
【００３５】
携帯無線装置３は、例えば、ユーザが所持する携帯電話、スマートフォン、タブレット端末、携帯型ＰＣ、デジタルカメラなどの携帯可能な電子機器である。
【００３６】
以下では、携帯無線装置３から据置無線装置２に画像データを送信し、据置無線装置２にて各画像データを印刷する例を説明するが、上述したように、据置無線装置２は、携帯無線装置３から送信された画像データ等を光ディスク等の記録メディアに記録するサービスや、送信された画像データを大画面のディスプレイに表示するなどの他の種々のサービスを行ってもよい。
【００３７】
図２は本実施形態による無線通信システム１のフローチャートである。このフローチャートは、携帯無線装置３のユーザが、据置無線装置２が設置されている店舗を訪問して、据置無線装置２が提供する画像データの印刷サービスを利用する際の処理手順である。携帯無線装置３には、予め、この印刷サービス用のアプリケーション・ソフトウェア（以下、単にアプリと呼ぶ）がインストールされているものとする。
【００３８】
まず、ユーザは、このアプリを起動する（ステップＳ１）。図３はアプリの初期画面の一例を示す図である。図３の初期画面には、「Ｗｉ−Ｆｉかんたん接続」の選択ボタンｂ１と、「パスワード入力方式」の選択ボタンｂ２と、「設定画面に移動」の選択ボタンｂ３とが表示されている。
【００３９】
選択ボタンｂ１〜ｂ３のうち、特徴的なものは、選択ボタンｂ１で選択される「Ｗｉ−Ｆｉかんたん接続」であり、以下では、この選択ボタンｂ１を選択した場合の処理手順を詳細に説明する。なお、選択ボタンｂ２で選択される「パスワード入力方式」は、ユーザにパスワードを入力させて、第１無線通信部４と第３無線通信部２１との間の無線通信のための認証を行うものである。また、選択ボタンｂ３で選択される「設定画面に移動」は、設定画面のメッセージに従って、第１無線通信部４の識別情報を選択するものである。
【００４０】
図２のフローチャートでは、選択ボタンｂ１が選択されたか否かを判定し（ステップＳ２）、選択されるとステップＳ３以降に進み、他の選択ボタンｂ２またはｂ３が選択された場合には、図２のフローチャートを終了させるようにしている。
【００４１】
選択ボタンｂ１が選択されると、例えば図４に示すような第２画面が表示される（ステップＳ３）。この第２画面内には、「機器をＮＦＣにかざしてください」というメッセージが記載されている。このメッセージに従って、ユーザは、携帯無線装置３を据置無線装置２のリーダ部６にかざすと（ステップＳ４）、第２無線方式にて、据置無線装置２はパスワードを携帯無線装置３に送信し、携帯無線装置３は識別情報を据置無線装置２に送信する（ステップＳ５）。
【００４２】
これにより、据置無線装置２と携帯無線装置３は双方とも、第１無線方式での無線通信に必要な識別情報とパスワードを所持することができる。第２無線方式での無線通信範囲は十分に狭いため、据置無線装置２のリーダ部６にかざした携帯無線装置３と据置無線装置２との間だけで、識別情報とパスワードを交換することができ、セキュリティを向上できる。
【００４３】
携帯無線装置３が据置無線装置２に送信する識別情報は、携帯無線装置３内の識別情報生成部２２により生成される。識別情報生成部２２は、携帯無線装置３に固有の固有情報を用いて識別情報を生成するため、仮に、別の携帯無線装置３が本来の携帯無線装置３の近くに存在していたとしても、据置無線装置２は、受信した識別情報により、本来の携帯無線装置３と第１無線方式にて無線通信を行うことができ、携帯無線装置３のなりすましを防止できる。
【００４４】
図５は識別情報のビット列の一例を示す図である。図５の例では、識別情報の先頭側ｐビットは通信先である据置無線装置２の種類を特定する情報であり、その次のｑビットは携帯無線装置３の固有情報であり、その次のｒビットはランダムな情報である。先頭側ｐビットの情報は必須ではないが、例えば、印刷サービスを依頼するときのコード情報や、記録メディアへの記録サービスを依頼するときのコード情報などを予め決めておくことで、受信した据置無線装置２は、ユーザがどのようなサービスを希望しているのかをｐビットの情報だけで判断できるため、便利である。
【００４５】
図５のように、識別情報中に携帯無線装置３の固有情報を含めることで、一意に特定可能な固有の識別情報を生成できる。したがって、据置無線装置２は、特定の携帯無線装置３とだけ、第１無線方式で無線通信を行うことができる。なお、図５の識別情報は一例であり、そのビット列の順序や、ビット列に含まれる情報は任意に変更して構わない。
【００４６】
一方、据置無線装置２内のパスワード生成部７は、予め決められた文字数の任意のパスワードを生成する。パスワードは、識別情報と組み合わせて認証されるため、パスワード自体は、重複した情報でも構わない。
【００４７】
図２のステップＳ５が終了すると、据置無線装置２は、取得した識別情報とパスワードを用いて、第１無線方式による無線通信回線の接続確立処理を行う（ステップＳ６）。この接続確立処理では、識別情報とパスワードを用いて認証部８にて認証処理を行い、認証処理に成功しない限り、接続確立部９は接続確立処理を完了させないようにしている。
【００４８】
接続確立処理が完了すると、据置無線装置２は、携帯無線装置３に対して、接続確立処理が完了した旨を通知する（ステップＳ７）。これにより、携帯無線装置３には、例えば図６に示す第３画面が表示される。図６の第３画面には、「Ｗｉ−Ｆｉ接続が完了しました」旨のメッセージが表示されている。
【００４９】
その後、携帯無線装置３の表示部２４には、画像データを選択するための第４画面が自動的に表示される（ステップＳ８）。図７は第４画面の一例を示す図である。第４画面には、携帯無線装置３内に格納されている画像データのサムネイル画像が表示され、この中から、任意の画像データと印刷枚数とを個別に選択できるようにしている。
【００５０】
ユーザが任意の画像データと印刷枚数の選択を終えて、第４画面内の選択終了ボタンｂ４をタッチすると、選択した画像データの一覧と印刷総枚数とを表示する第５画面が表示される（ステップＳ９）。図８は第５画面の一例を示す図である。ユーザが、第５画面内の送信ボタンｂ５をタッチすると、選択した画像データが第１無線方式にて据置無線装置２に送信される（ステップＳ１０）。
【００５１】
第１無線方式は、無線ＬＡＮやBluetoothなどの高速無線回線であるため、画像データのような大容量データであっても、比較的短時間でデータ伝送を行うことができる。また、無線ＬＡＮは、ＮＦＣやBluetooth Low Energy（Bluetooth LE）などの近接無線通信よりも、無線通信範囲が広いため、いったん第２無線方式にて識別情報とパスワードの交換を行ってしまえば、ユーザは据置無線装置２に携帯無線装置３をかざさずに、画像データの伝送を行えるため、ユーザの使い勝手がよくなる。
【００５２】
その後、ユーザは、据置無線装置２の表示画面のメニューに従って、画像データの送信が終了した旨のボタンを操作する（ステップＳ１１）。なお、ユーザは、画像データの送信終了を据置無線装置２の画面上で指示するのではなく、携帯無線装置３の画面上で指示してもよい。
【００５３】
据置無線装置２は、ユーザから画像データ送信終了を指示されると、第１無線方式による無線通信回線の接続を遮断する（ステップＳ１２）。
【００５４】
その後、据置無線装置２の表示部１２には、プリントタイプを選択する第６画面が表示される（ステップＳ１３）。図９は第６画面の一例を示す図である。第６画面には、各画像データごとに個別に印刷することを選択するボタンｂ６と、インデックスプリントを選択するボタンｂ７と、２枚の画像データを並べて印刷する分割プリントを選択するボタンｂ８とが表示されている。ユーザがいずれかのボタンを選択すると、次に、表示部１２にはプリントサイズを選択する第７画面が表示される（ステップＳ１４）。図１０は第７画面の一例を示す図である。第７画面では、例えば、Ｌ版や２Ｌ版などのプリントサイズを選択する。なお、ステップＳ１３とＳ１４は、ステップＳ８で画像データの選択を行う前後で行ってもよい。その後、支払い処理のための第８画面が表示される（ステップＳ１５）。
【００５５】
なお、プリントタイプやプリントサイズの選択は、携帯無線装置２の表示部２４上で行ってもよい。
【００５６】
上述した図２のフローチャートを実行するにあたって、複数の携帯無線装置３がほぼ同時に、一つの据置無線装置２のリーダ部６にかざされる場合もありうる。この場合、据置無線装置２は、最先に第２無線方式にて受信した識別情報を採用し、この識別情報を送信した携帯無線装置３以外の携帯無線装置３に対して、この識別情報を第２無線方式を介して据置無線装置２から送信し、各携帯無線装置３が、この識別情報を用いて、共通の無線通信回線にて、第１無線方式にて無線通信を行うようにしてもよい。これにより、据置無線装置２は、複数の携帯無線装置３と同時並行的に無線通信を行うことができ、各携帯無線装置３を待たせなくて済む。
【００５７】
図１では、据置無線装置２から携帯無線装置３との間で第２無線方式にてパスワードと識別情報を交換する際、パスワードと識別情報をそのまま送受する例を示したが、セキュリティをより強化させるには、パスワードと識別情報を暗号化して送受するのが望ましい。この場合、据置無線装置２と携帯無線装置３の双方に、暗号化部１４，２６を設ける必要がある。
【００５８】
図１１は暗号化部１４，２６を備えた無線通信システム１の概略構成を示すブロック図である。据置無線装置２内の暗号化部１４は、例えば、携帯無線装置３との間で共有される共有鍵を用いて、パスワード生成部７が生成したパスワードを暗号化して、第２無線方式を介して携帯無線装置３に送信する。同様に、携帯無線装置３内の暗号化部２６は、上述した共有鍵を用いて、識別情報生成部２２が生成したパスワードを暗号化して、第２無線方式を介して携帯無線装置３に送信する。
【００５９】
このように、本実施形態では、携帯無線装置３を据置無線装置２にかざしたときに、第１無線方式での無線通信に必要なパスワードを第２無線方式にて据置無線装置２から携帯無線装置３に送信するとともに、第１無線通信部４と携帯無線装置３との無線通信回線を識別する識別情報を第２無線方式にて携帯無線装置３から据置無線装置２に送信する。これにより、携帯無線装置３と据置無線装置２が双方とも、セキュリティを担保した状態で、識別情報とパスワードを取得でき、他の無線機器が勝手に識別情報やパスワードを取得するおそれを防止できる。仮に、携帯無線装置３の近くにいた別の携帯無線装置３が据置無線装置２からのパスワードを取得したとしても、本来の携帯無線装置３が据置無線装置２に送信する識別情報は、携帯無線装置３の固有情報を用いて生成されているため、本来の携帯無線装置３以外の携帯無線装置３が据置無線装置２と第１無線方式で無線通信を行うおそれを防止できる。よって、携帯無線装置３が据置無線装置２に送信した画像データを勝手に別の無線機器が取得するおそれもなくなり、セキュアな無線通信が可能となる。
【００６０】
また、本実施形態によれば、ユーザ自身で識別情報やパスワードを手入力しなくて済み、ユーザの手間が省ける。
【００６１】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６２】
１  無線通信システム、２  据置無線装置、３  携帯無線装置、４  第１無線通信部、５  第２無線通信部、６  リーダ部、７  パスワード生成部、８  認証部、９  接続確立部、１０  接続遮断指示部、１１  接続遮断部、１２  表示部、１３  表示制御部、１４  暗号化部、２１  第３無線通信部、２２  識別情報生成部、２３  第４無線通信部、２４  表示部、２５  表示制御部、２６  暗号化部
【図１】
0006477146.tif 000002
【図２】
0006477146.tif 000003
【図３】
0006477146.tif 000004
【図４】
0006477146.tif 000005
【図５】
0006477146.tif 000006
【図６】
0006477146.tif 000007
【図７】
0006477146.tif 000008
【図８】
0006477146.tif 000009
【図９】
0006477146.tif 000010
【図１０】
0006477146.tif 000011
【図１１】
0006477146.tif 000012